(57)【特許請求の範囲】
【請求項１】
開口を有する箱形であって前記開口の縁部に外つばを有し前記開口に対向する奥壁の上面よりも高さが低い立ち上げ片を前記外つばの先端に有する器具本体と、この器具本体の一対向側壁の対向方向に長手方向を向けて前記器具本体内に取付けられた山形の第１の反射板および第２の反射板と、前記一対向側壁の前記第１の反射板および前記第２の反射板の側方に取付けられて前記第１の反射板および前記第２の反射板の側方に平行に配置されるランプを装着する複数のランプソケットと、前記第１の反射板の内側に配設された端子台および第１の点灯装置と、前記第２の反射板の内側に配設された第２の点灯装置とを備え、前記一対向側壁の一方の前記外つばに接近した位置でしかも前記第１の反射板および前記第２の反射板の内側となる位置にそれぞれ線挿通孔を形成し、前記端子台と前記第１の点灯装置とを第１の電源線により接続するとともに、前記端子台と前記第２の点灯装置とを第２の電源線により前記線挿通孔を通して接続し、前記第２の電源線のうち前記線挿通孔より前記器具本体の外部に出た部分を隠蔽する線隠し具を前記外つば上に配置し、かつ前記線隠し具がその上端部に前記奥壁の上面に載置される上片を有し、一方下端部に外向きに折曲されて前記立ち上げ片の内側に位置する折曲片を有することを特徴とする照明器具。
【発明の詳細な説明】
【０００１】
【発明の属する技術分野】
この発明は、施設用の工事用蛍光灯器具等の照明器具に関するものである。
【０００２】
【従来の技術】
従来例を図７ないし図９に示す。すなわち、この照明器具は、開口５０を有する箱形の器具本体５１と、この器具本体５１の一対向側壁５２の対向方向に長手方向を向けて器具本体５１内に取付けられた山形の第１の反射板５３および第２の反射板５４と、一対向側壁５２の第１の反射板５３および第２の反射板５４の側方に取付けられて第１の反射板５３および第２の反射板５４の側方に平行に配置されるランプ５５〜５７を装着する複数のランプソケット５８と、第１の反射板５３の内側に配設された端子台５９および第１の点灯装置６０と、第２の反射板５４の内側に配設された第２の点灯装置６１とを備えている。
【０００３】
そして、端子台５９と第１の点灯装置６０とを第１の電源線６２により接続するとともに、端子台５９と第２の点灯装置６１とを第２の電源線６４により第２の反射板５４の端部に形成した切欠６３を通して接続している。
なお、ランプ線（図示せず）は、第１の点灯装置６０および第２の点灯装置６１から各ランプソケット５８に配線されている。
【０００４】
【発明が解決しようとする課題】
しかし、この照明器具は、端子台５９から第２の点灯装置６１に接続する第２の電源線６４を、第１の反射板５３および第２の反射板５４の端部の切欠６３に通しているため、開口５０内からランプ線以外に第２の電源線６４が見えるとともに、第２の電源線６４とランプ線が近接して第２の電源線６４に雑音が重畳されるという欠点があった。
【０００５】
したがって、この発明の目的は、開口内の電源線を露出防止することができ、雑音を低減することができる照明器具を提供することである。
【０００６】
請求項１記載の器具取付装置は、開口を有する箱形であって前記開口の縁部に外つばを有し前記開口に対向する奥壁の上面よりも高さが低い立ち上げ片を前記外つばの先端に有する器具本体と、この器具本体の一対向側壁の対向方向に長手方向を向けて前記器具本体内に取付けられた山形の第１の反射板および第２の反射板と、前記一対向側壁の前記第１の反射板および前記第２の反射板の側方に取付けられて前記第１の反射板および前記第２の反射板の側方に平行に配置されるランプを装着する複数のランプソケットと、前記第１の反射板の内側に配設された端子台および第１の点灯装置と、前記第２の反射板の内側に配設された第２の点灯装置とを備え、前記一対向側壁の一方の前記外つばに接近した位置でしかも前記第１の反射板および前記第２の反射板の内側となる位置にそれぞれ線挿通孔を形成し、前記端子台と前記第１の点灯装置とを第１の電源線により接続するとともに、前記端子台と前記第２の点灯装置とを第２の電源線により前記線挿通孔を通して接続し、前記第２の電源線のうち前記線挿通孔より前記器具本体の外部に出た部分を隠蔽する線隠し具を前記外つば上に配置し、かつ前記線隠し具がその上端部に前記奥壁の上面に載置される上片を有し、一方下端部に外向きに折曲されて前記立ち上げ片の内側に位置する折曲片を有することを特徴とするものである。
【０００７】
請求項１の照明器具によれば、第２の電源線は第１の反射板，器具本体の線挿通孔および第２の反射板を通して配線されているため、開口内の電源線の露出防止ができ、また第２の電源線とランプ線とが器具本体および反射板により隔離できるので、雑音を低減することができる。
【０００８】
【発明の実施の形態】
この発明の一実施の形態を図１ないし図６により説明する。すなわち、この埋込型の照明器具は、器具本体１と、第１の反射板２および第２の反射板３と、複数のランプソケット４と、端子台５と、第１の点灯装置６および第２の点灯装置７とを有する。
【０００９】
器具本体１は開口８を有する箱形である。実施の形態では開口８が矩形をなし、その長手方向に対向する一対向側壁９は垂直に形成され、他対向側壁１０は奥壁を含めた断面が台形をなすように対称に傾斜している。また開口８の縁部に外つば１１を形成し、天井の埋込穴（図示せず）に埋設した際、外つば１１を埋込穴の縁部に係止している。１２は４箇所に設けた本体取付部、１３は給電線導入孔である。
【００１０】
第１の反射板２および第２の反射板３はそれぞれ山形であり、器具本体１の一対向側壁９の対向方向に長手方向を向けて器具本体１内に取付けられている。実施の形態では略Ｖ字形をなし、第１の反射板２は一対の本体取付部１２および給電線導入孔１３を被覆する位置に、第２の反射板３は他対の本体取付部１２を被覆する位置に設け、各両端は一対向側壁９に当接している。
【００１１】
複数のランプソケット４は、一対向側壁９の第１の反射板２および第２の反射板３の側方に取付けられて、第１の反射板２および第２の反射板３の側方に平行に配置されるランプ１４を装着されている。実施の形態のランプは３本の直管蛍光ランプであり、ランプソケット４は一対向側壁９の第１の反射板２および第２の反射板３の両側方にそれぞれ設けられている。
【００１２】
端子台５および第１の点灯装置６は、第１の反射板２の内側に配設されている。実施の形態の端子台５は給電線導入孔１３の近傍に配置されている。第１の点灯装置６は２灯用安定器を含むものであり、第１の反射板２に隣接する一対のランプ１４のランプソケット４にランプ線２３により給電している。
第２の点灯装置７は、第２の反射板３の内側に配設されており、安定器等により構成されて、ランプ線２３により残りのランプソケット４に給電されている。
【００１３】
そしてこの照明器具は、一対向側壁９の一方の第１の反射板２および第２の反射板３の内側にそれぞれ線挿通孔１５を形成し、端子台５と第１の点灯装置６とを第１の電源線１６により接続するとともに、端子台５と第２の点灯装置７とを第２の電源線１７により線挿通孔１５を通して接続している。すなわち、端子台５から第２の電源線１７を第１の反射板２の内側に沿って端部まで引き、線挿通孔１５より器具本体１の外部に引出し、再び別の線挿通孔１５より第２の反射板３内に引込み、第２の反射板３内を透って第２の点灯装置７に接続する。実施の形態の線挿通孔１５は外つば１１上に接近して配置している。
【００１４】
１８は金属製の線隠し具で、略Ｌ字形に形成され、上片１９を器具本体１に重ね下片２０の先端を外向きに折曲して折曲片２１を形成し、外つば１１の先端の立ち上げ片２２の内側に位置して、第２の電源線１７を隠蔽している。
この実施の形態によれば、第２の電源線１７は第１の反射板２，器具本体１の線挿通孔１５および第２の反射板３を通して配線されているため、開口８内の第２の電源線１７の露出防止ができ、また第２の電源線１７とランプ線２３とが器具本体１および反射板２，３により隔離できるので、雑音を低減することができる。
【００１５】
また、線隠し具１８により、器具本体１の外面に出た第２の電源線１７を被覆して保護を図り、かつ第２の電源線１７が絶縁被覆の薄い器具内線でも、器具外部への露出が８０ｍｍを超えないようにして法規制をクリアしている。また器具本体１の埋込穴とのクリアランスを規制する効果も得られ、器具として外観向上につなげることが可能となる。
【００１６】
なお、この発明は、点灯装置およびランプが少なくとも２以上あるものに適用できる。
【００１７】
【発明の効果】
請求項１の照明器具によれば、第２の電源線は第１の反射板，器具本体の線挿通孔および第２の反射板を通して配線されているため、開口内の電源線の露出防止ができ、また第２の電源線とランプ線とが器具本体および反射板により隔離できるので、雑音を低減することができる。
【図面の簡単な説明】
【図１】この発明の一実施の形態の下から見上げた平面図である。
【図２】その部分斜視図である。
【図３】部分概略断面図である。
【図４】ランプに直交する方向に切断した概略断面図である。
【図５】線隠し具を示す部分断面図である。
【図６】線隠し具を示す部分斜視図である。
【図７】従来例の下から見上げた平面図である。
【図８】その断面図である。
【図９】その部分斜視図である。
【符号の説明】
１    器具本体
２    第１の反射板
３    第２の反射板
４    ランプソケット
５    端子台
６    第１の点灯装置
７    第２の点灯装置
８    開口
９    一対向側壁
１４    ランプ
１５    線挿通孔
１６    第１の電源線
１７    第２の電源線
【図１】
0003956404.tif 000002
【図２】
0003956404.tif 000003
【図３】
0003956404.tif 000004
【図４】
0003956404.tif 000005
【図５】
0003956404.tif 000006
【図６】
0003956404.tif 000007
【図７】
0003956404.tif 000008
【図８】
0003956404.tif 000009
【図９】
0003956404.tif 000010